(57)【要約】【課題】供血者から採取される血液の流量が低下しても、オペレーターの手を煩わすことなく、効率良く、かつ確実に、所定の血液成分や血液を採取することができる採血装置を提供する。【解決手段】血液成分採取装置は、中空針および血漿採取バッグ等を有する血液成分採取回路と、空気の注入により拡張する袋体を有し、ドナーの腕に巻き付けられて使用される腕帯７とを備えている。そして、血液成分採取装置は、制御手段５５の制御により、採血中、すなわち、血漿採取工程において、ドナーから採取される血液の流量を検出し、その血液の流量が所定値以下に低下した場合に、腕帯７によるドナーの腕の締付力を変化させることで、ドナーに対し、血液の流量が低下したことと、ドナー用タッチパネル５０に表示されたメッセージがあることとを報知し、さらに、ドナー用タッチパネル５０に、血液の流量を増大させて回復させるための対応方法を表示する。【選択図】図２
2008125553.tif 000002
【特許請求の範囲】
【請求項１】
供血者から血液を採取する採血針を備えた採血手段と、前記採血手段により採取された血液を収納する採血バッグとを有する血液採取回路と、
空気の注入により拡張する袋体を有し、前記供血者の腕に巻き付けられて使用される腕帯と、
前記袋体の内部の圧力を調整する圧力調整手段と、
前記圧力調整手段の作動を制御する圧力制御手段と、
前記供血者から採取される血液の流量を検出する検出手段とを備え、
前記圧力制御手段は、前記検出手段の検出結果に基づいて、前記圧力調整手段の作動を制御し、前記腕帯による前記供血者の腕の締付力を少なくとも１回変化させるように構成されていることを特徴とする採血装置。
【請求項２】
供血者から血液を採取する採血針を備えた採血手段と、前記採血手段により採取された血液を分離する血液分離器と、前記血液分離器により分離された所定の血液成分を採取する血液成分採取バッグとを有する血液採取回路と、
空気の注入により拡張する袋体を有し、前記供血者の腕に巻き付けられて使用される腕帯と、
前記袋体の内部の圧力を調整する圧力調整手段と、
前記圧力調整手段の作動を制御する圧力制御手段と、
前記供血者から採取される血液の流量を検出する検出手段とを備え、
前記圧力制御手段は、前記検出手段の検出結果に基づいて、前記圧力調整手段の作動を制御し、前記腕帯による前記供血者の腕の締付力を少なくとも１回変化させるように構成されていることを特徴とする採血装置。
【請求項３】
前記圧力制御手段は、前記検出手段の検出結果に基づいて、前記圧力調整手段の作動を制御し、前記腕帯による前記供血者の腕の締付力を変化させることで、前記供血者に対し、血液の流量が低下した旨を報知する報知手段として機能する請求項１または２に記載の採血装置。
【請求項４】
前記腕帯による前記供血者の腕の締付力の変化は、採血時の締付力と、該採血時の締付力よりも所定値高い締付力とを交互に繰り返すものである請求項１ないし３のいずれかに記載の採血装置。
【請求項５】
前記検出手段の検出結果に基づいて、前記血液の流量が所定値以下に低下したか否かを判別する判別手段を有し、
前記圧力制御手段は、前記判別手段により前記血液の流量が所定値以下に低下したと判別された場合に、前記腕帯による前記供血者の腕の締付力を変化させるように構成されている請求項１ないし４のいずれかに記載の採血装置。
【請求項６】
供血者から血液を採取する採血針を備えた採血手段と、前記採血手段により採取された血液を収納する採血バッグとを有する血液採取回路と、
所定の刺激を前記供血者に与える刺激付与手段と、
前記刺激付与手段の作動を制御する刺激制御手段と、
前記供血者から採取される血液の流量を検出する検出手段とを備え、
前記刺激制御手段は、前記検出手段の検出結果に基づいて、前記刺激付与手段の作動を制御し、該刺激付与手段により前記供血者に刺激を与えることで、前記供血者に対し、血液の流量が低下した旨を報知する報知手段として機能することを特徴とする採血装置。
【請求項７】
供血者から血液を採取する採血針を備えた採血手段と、前記採血手段により採取された血液を分離する血液分離器と、前記血液分離器により分離された所定の血液成分を採取する血液成分採取バッグとを有する血液採取回路と、
所定の刺激を前記供血者に与える刺激付与手段と、
前記刺激付与手段の作動を制御する刺激制御手段と、
前記供血者から採取される血液の流量を検出する検出手段とを備え、
前記刺激制御手段は、前記検出手段の検出結果に基づいて、前記刺激付与手段の作動を制御し、該刺激付与手段により前記供血者に刺激を与えることで、前記供血者に対し、血液の流量が低下した旨を報知する報知手段として機能することを特徴とする採血装置。
【請求項８】
前記供血者の腕に巻き付けて使用する腕帯を有し、
前記刺激付与手段は、前記腕帯に設置され、所定の刺激を前記供血者の腕に与えるものである請求項６または７に記載の採血装置。
【請求項９】
前記刺激付与手段は、前記供血者に振動を与える加振手段である請求項６ないし８のいずれかに記載の採血装置。
【請求項１０】
前記検出手段の検出結果に基づいて、前記血液の流量が所定値以下に低下したか否かを判別する判別手段を有し、
前記刺激制御手段は、前記判別手段により前記血液の流量が所定値以下に低下したと判別された場合に、前記刺激付与手段により前記供血者に刺激を与えるように構成されている請求項６ないし９のいずれかに記載の採血装置。
【発明の詳細な説明】
【技術分野】
【０００１】
本発明は、採血装置に関するものである。
【背景技術】
【０００２】
成分採血は、ドナー（供血者）から採取した血液（全血）を遠心分離や膜分離により血液成分に分離し、必要な血液成分を採取して残りの血液成分をドナーに返血する手技である。遠心分離方式、特に遠心ボウル方式での成分採血の場合、ドナーへの侵襲を減少させるために、採血針を１本にして採血工程と返血工程とを交互に繰り返す方式が採用されている（例えば、特許文献１参照）。
【０００３】
ところで、例えば、採血中に、ドナーが居眠りをしたり、また、その他の種々の要因で、ドナーから採取される血液の流量（血流）が低下することがある。血流が低下して、十分な血流が得られなくなると、採血に要する時間が長くなるばかりでなく、例えば、目標通りの容量（または数量）の血液成分を採取できなくなってしまう等、種々の問題が生じる。
【０００４】
このため、血流が不十分になると、オペレーターコール（ナースコール）がなされ、オペレーターが、居眠りをしているドナーを起したり、また、ドナーに対し、血流を増大させるための対応方法を指示したり、その他、所定の処置を施すようになっている。
【０００５】
しかしながら、前記従来の採血装置では、血流が不十分になると、その原因が、ドナーの居眠り等、オペレーターがいなくても血流を回復させることができる場合でも、オペレーターコールがなされ、オペレーターの手を煩わすこととなる。また、オペレーターが忙しい場合は、間に合わず、目標通りの容量（または数量）の血液成分を採取できなくなってしまうことがある。
【０００６】
【特許文献１】特開２００１−１７５４０号公報
【発明の開示】
【発明が解決しようとする課題】
【０００７】
本発明の目的は、供血者から採取される血液の流量が低下しても、オペレーターの手を煩わすことなく、効率良く、かつ確実に、所定の血液成分や血液を採取することができる採血装置を提供することにある。
【課題を解決するための手段】
【０００８】
このような目的は、下記（１）〜（１７）の本発明により達成される。
（１）  供血者から血液を採取する採血針を備えた採血手段と、前記採血手段により採取された血液を収納する採血バッグとを有する血液採取回路と、
空気の注入により拡張する袋体を有し、前記供血者の腕に巻き付けられて使用される腕帯と、
前記袋体の内部の圧力を調整する圧力調整手段と、
前記圧力調整手段の作動を制御する圧力制御手段と、
前記供血者から採取される血液の流量を検出する検出手段とを備え、
前記圧力制御手段は、前記検出手段の検出結果に基づいて、前記圧力調整手段の作動を制御し、前記腕帯による前記供血者の腕の締付力を少なくとも１回変化させるように構成されていることを特徴とする採血装置。
【０００９】
（２）  供血者から血液を採取する採血針を備えた採血手段と、前記採血手段により採取された血液を分離する血液分離器と、前記血液分離器により分離された所定の血液成分を採取する血液成分採取バッグとを有する血液採取回路と、
空気の注入により拡張する袋体を有し、前記供血者の腕に巻き付けられて使用される腕帯と、
前記袋体の内部の圧力を調整する圧力調整手段と、
前記圧力調整手段の作動を制御する圧力制御手段と、
前記供血者から採取される血液の流量を検出する検出手段とを備え、
前記圧力制御手段は、前記検出手段の検出結果に基づいて、前記圧力調整手段の作動を制御し、前記腕帯による前記供血者の腕の締付力を少なくとも１回変化させるように構成されていることを特徴とする採血装置。
【００１０】
（３）  前記圧力制御手段は、前記検出手段の検出結果に基づいて、前記圧力調整手段の作動を制御し、前記腕帯による前記供血者の腕の締付力を変化させることで、前記供血者に対し、血液の流量が低下した旨を報知する報知手段として機能する上記（１）または（２）に記載の採血装置。
【００１１】
（４）  前記腕帯による前記供血者の腕の締付力の変化は、採血時の締付力と、該採血時の締付力よりも所定値高い締付力とを交互に繰り返すものである上記（１）ないし（３）のいずれかに記載の採血装置。
【００１２】
（５）  前記検出手段の検出結果に基づいて、前記血液の流量が所定値以下に低下したか否かを判別する判別手段を有し、
前記圧力制御手段は、前記判別手段により前記血液の流量が所定値以下に低下したと判別された場合に、前記腕帯による前記供血者の腕の締付力を変化させるように構成されている上記（１）ないし（４）のいずれかに記載の採血装置。
【００１３】
（６）  供血者から血液を採取する採血針を備えた採血手段と、前記採血手段により採取された血液を収納する採血バッグとを有する血液採取回路と、
所定の刺激を前記供血者に与える刺激付与手段と、
前記刺激付与手段の作動を制御する刺激制御手段と、
前記供血者から採取される血液の流量を検出する検出手段とを備え、
前記刺激制御手段は、前記検出手段の検出結果に基づいて、前記刺激付与手段の作動を制御し、該刺激付与手段により前記供血者に刺激を与えることで、前記供血者に対し、血液の流量が低下した旨を報知する報知手段として機能することを特徴とする採血装置。
【００１４】
（７）  供血者から血液を採取する採血針を備えた採血手段と、前記採血手段により採取された血液を分離する血液分離器と、前記血液分離器により分離された所定の血液成分を採取する血液成分採取バッグとを有する血液採取回路と、
所定の刺激を前記供血者に与える刺激付与手段と、
前記刺激付与手段の作動を制御する刺激制御手段と、
前記供血者から採取される血液の流量を検出する検出手段とを備え、
前記刺激制御手段は、前記検出手段の検出結果に基づいて、前記刺激付与手段の作動を制御し、該刺激付与手段により前記供血者に刺激を与えることで、前記供血者に対し、血液の流量が低下した旨を報知する報知手段として機能することを特徴とする採血装置。
【００１５】
（８）  前記供血者の腕に巻き付けて使用する腕帯を有し、
前記刺激付与手段は、前記腕帯に設置され、所定の刺激を前記供血者の腕に与えるものである上記（６）または（７）に記載の採血装置。
【００１６】
（９）  前記刺激付与手段は、前記供血者に振動を与える加振手段である上記（６）ないし（８）のいずれかに記載の採血装置。
【００１７】
（１０）  前記検出手段の検出結果に基づいて、前記血液の流量が所定値以下に低下したか否かを判別する判別手段を有し、
前記刺激制御手段は、前記判別手段により前記血液の流量が所定値以下に低下したと判別された場合に、前記刺激付与手段により前記供血者に刺激を与えるように構成されている上記（６）ないし（９）のいずれかに記載の採血装置。
【００１８】
（１１）  前記判別手段により前記血液の流量が所定値以下に低下したと判別された場合に、前記供血者に対して、前記血液の流量を増大させて回復させるための対応方法を報知する第２の報知手段を有する上記（５）または（１０）に記載の採血装置。
【００１９】
（１２）  前記判別手段により前記血液の流量が所定値以下に低下したと判別されたときから所定時間経過しても前記血液の流量が前記所定値を超える値まで回復しない場合に、オペレーターに対して、前記血液の流量が回復しない旨を報知する第３の報知手段を有する上記（１１）に記載の採血装置。
【００２０】
（１３）  前記判別手段により前記血液の流量が所定値以下に低下したと判別されたときから所定時間経過しても前記血液の流量が前記所定値を超える値まで回復しない場合に作動し、オペレーターを呼ぶコール手段を有する上記（１１）に記載の採血装置。
【００２１】
（１４）  オペレーターを呼ぶコール手段と、
前記判別手段により前記血液の流量が所定値以下に低下したと判別されたときから所定時間経過しても前記血液の流量が前記所定値を超える値まで回復しない場合に、前記供血者に対して、オペレーターを呼ぶことを促すメッセージを報知する第４の報知手段とを有する上記（１１）に記載の採血装置。
【００２２】
（１５）  供血者から血液を採取する採血針を備えた採血手段と、前記採血手段により採取された血液を収納する採血バッグとを有する血液採取回路と、
空気の注入により拡張する袋体を有し、前記供血者の腕に巻き付けられて使用される腕帯と、
前記袋体の内部の圧力を調整する圧力調整手段と、
前記圧力調整手段の作動を制御する圧力制御手段と、
前記供血者から採取される血液の流量を検出する検出手段と、
前記検出手段の検出結果に基づいて、前記血液の流量が所定値以下に低下したか否かを判別する判別手段とを備え、
前記圧力制御手段は、前記判別手段により前記血液の流量が所定値以下に低下したと判別された場合は、前記圧力調整手段の作動を制御し、前記腕帯による前記供血者の腕の締付力を少なくとも１回変化させることで血流を促進させる血流促進操作を実行するように構成されていることを特徴とする採血装置。
【００２３】
（１６）  供血者から血液を採取する採血針を備えた採血手段と、前記採血手段により採取された血液を分離する血液分離器と、前記血液分離器により分離された所定の血液成分を採取する血液成分採取バッグとを有する血液採取回路と、
空気の注入により拡張する袋体を有し、前記供血者の腕に巻き付けられて使用される腕帯と、
前記袋体の内部の圧力を調整する圧力調整手段と、
前記圧力調整手段の作動を制御する圧力制御手段と、
前記供血者から採取される血液の流量を検出する検出手段と、
前記検出手段の検出結果に基づいて、前記血液の流量が所定値以下に低下したか否かを判別する判別手段とを備え、
前記圧力制御手段は、前記判別手段により前記血液の流量が所定値以下に低下したと判別された場合は、前記圧力調整手段の作動を制御し、前記腕帯による前記供血者の腕の締付力を少なくとも１回変化させることで血流を促進させる血流促進操作を実行するように構成されていることを特徴とする採血装置。
【００２４】
（１７）  前記圧力制御手段は、前記血流促進操作を実行した後、再度、前記検出手段により、前記供血者から採取される血液の流量を検出し、前記判別手段により、前記検出手段の検出結果に基づき、前記血液の流量が所定値以下であるか否かを判別し、前記血液の流量が所定値以下であると判別された場合は、前記供血者に対し、血液の流量が低下した旨を報知するように構成されている上記（１５）または（１６）に記載の採血装置。
【発明の効果】
【００２５】
本発明によれば、採血の際、ドナー（供血者）から採取される血液の流量（血流）が低下しても、オペレーターの手を煩わすことなく、その血液の流量を増大（血流を促進）させて回復させることができる。これにより、効率良く、かつ確実に、所定の血液成分や血液を採取することができる。
【発明を実施するための最良の形態】
【００２６】
以下、本発明の採血装置を添付図面に示す好適な実施形態に基づいて詳細に説明する。
なお、本発明の採血装置には、採血手段により採取された血液（全血）を収納（採取）する採血バッグを備えた血液採取回路を有し、全血を採取する採血装置と、採血手段により採取された血液を分離する血液分離器およびこの血液分離器により分離された所定の血液成分を採取する血液成分採取バッグを備えた血液採取回路を有し、血液成分を採取する血液成分採取装置とが含まれるが、以下の実施形態では、代表的に、本発明の採血装置を、血漿を採取する血漿採取装置（血液成分採取装置）に適用した場合について説明する。
【００２７】
＜第１実施形態＞
図１は、本発明の採血装置を、主に血漿を採取する血液成分採取装置に適用した場合の第１実施形態を示す平面図（一部にブロック図を含む）、図２は、図１に示す血液成分採取装置の制御回路を示すブロック図である。また、図３は、図１に示す血液成分採取装置の腕帯を示す図であって、図３（ａ）は、平面図、図３（ｂ）は、斜視図である。
【００２８】
図１に示す血液成分採取装置（採血装置）１は、ドナー（供血者）の血管に穿刺される中空針（採血針）（ドナーから血液を採取する採血手段）２９１と、採取された血液を貯血空間１４６内にて遠心分離する遠心分離器（遠心ボウル）（血液分離器）２０と、遠心分離器２０により分離された血漿（血液成分）を採取する血漿採取バッグ（血液成分採取バッグ）２５とを備える血液成分採取回路（血液処理回路）２を有し、ドナーから採取した血液を遠心分離し、所定量の血漿を採取した後、残りの血漿とともに白血球、血小板および赤血球（残りの血液成分）をドナーに返還（返血）する装置である。
【００２９】
血液成分採取装置１は、中空針２９１と、採血ラインおよび返血ラインの双方として兼用される採血・返血ライン（血液処理ライン）２１と、遠心分離器２０と、遠心分離器２０の流出口１４４に接続された採取バッグ側ライン２２と、採血・返血ライン２１の途中に接続された抗凝固剤注入ライン２３と、採取バッグ側ライン２２の途中に接続され、この採取バッグ側ライン２２を介して遠心分離器２０の流出口１４４に連通するエアーバッグ側ライン２４と、採取バッグ側ライン２２と接続された血漿採取バッグ（血液成分採取バッグ）２５と、血漿採取バッグ２５とチューブ（流路）３２ａにより接続されたサブバッグ３２と、エアーバッグ側ライン２４と接続されたエアーバッグ２６とを備える血液成分採取回路（血液採取回路）２を有している。
【００３０】
また、図１および図２に示すように、血液成分採取装置１は、遠心分離器２０のローター１４２を回転させるための遠心分離器駆動装置１０と、採血・返血ライン２１内の血液または血液成分（液体）を送液する血液ポンプ（送液ポンプ）（第１の送液手段）１１と、抗凝固剤注入ライン２３内の抗凝固剤（液体）を送液する抗凝固剤ポンプ（送液ポンプ）（第２の送液手段）１２と、後述する空気の注入（導入）により拡張する袋体７１を有し、ドナーの腕に巻き付けられて（装着されて）使用される腕帯７と、腕帯７の袋体７１内に空気を注入（導入）するコンプレッサー（空気注入手段）５６と、腕帯７の袋体７１内の空気を排出するリーク弁（流路開閉手段）５７と、血液成分採取回路２の流路の開閉を行うための流路開閉手段５１および５２と、タッチパネル（オペレーター用タッチパネル）１９と、ドナー用タッチパネル５０と、ブザー５３と、ランプ（発光部）５４と、濁度センサ１４と、光学式センサ１５と、重量センサ１６と、圧力センサ（圧力検出手段）１８と、圧力計（圧力検出手段）５８と、第１の気泡センサ１７と、第２の気泡センサ３４と、第３の気泡センサ３５と、第４の気泡センサ３６と、第５の気泡センサ３７と、前記遠心分離器駆動装置１０、血液ポンプ１１、抗凝固剤ポンプ１２、コンプレッサー５６、流路開閉手段５１、５２と、ブザー５３、ランプ５４、タッチパネル１９およびドナー用タッチパネル５０等を制御するための制御手段５５とを備えている。
【００３１】
なお、前記コンプレッサー５６およびリーク弁５７により、腕帯７の袋体７１の内部の圧力（内圧）を調整する圧力調整手段（報知手段）が構成される。また、前記抗凝固剤ポンプ１２により、採取された血液に抗凝固剤を添加する抗凝固剤供給手段が構成される。
【００３２】
以下、各部の構成について説明する。
中空針２９１は、採血・返血ライン２１の一端に接続されており、中空針２９１の基端側には、翼２９２が設けられている。図１中では、中空針２９１には、キャップが被せられている。
【００３３】
採血・返血ライン２１は、中空針２９１が一端に接続された中空針側ライン２１ａと、遠心分離器２０の流入口１４３とを接続された遠心分離器側ライン２１ｂと、これらの間に配置されたポンプチューブ２１ｇとを有している。
【００３４】
中空針側ライン２１ａは、気泡およびマイクロアグリゲート除去のためのチャンバー２１ｄを備える。
【００３５】
チャンバー２１ｄには、チューブ（流路）２１ｈを介して通気性かつ菌不透過性のフィルター２１ｉが接続されている。このラインは、中空針側ライン２１ａの内圧（血液ポンプ１１より中空針２９１側の採血・返血ライン２１の内圧）、すなわちドナー圧を検出する圧力センサ１８に接続される。
【００３６】
採取バッグ側ライン２２は、一端が遠心分離器２０の流出口１４４に接続され、他端が血漿採取バッグ２５に接続されている。この採取バッグ側ライン２２の途中には、３つ（３股）に分岐した（接続口は合計４つ）分岐コネクタ６１が設けられており、採取バッグ側ライン２２は、この分岐コネクタ６１を介して接続されている。
【００３７】
分岐コネクタ６１には、チューブ（流路）６２を介して通気性かつ菌不透過性のフィルター６３が接続されている。このラインは、例えば、遠心分離器２０の内圧の検出等に用いることができる。
【００３８】
抗凝固剤注入ライン２３は、その一端が採血・返血ライン２１に設けられた分岐コネクタ２１ｃに接続されている。すなわち、抗凝固剤注入ライン（流路）２３は、分岐コネクタ（分岐部）２１ｃから分岐、すなわち、分岐コネクタ２１ｃを介して採血・返血ライン（流路）２１から分岐している。また、分岐コネクタ２１ｃは、中空針２９１の近傍に位置している（設けられている）。この抗凝固剤注入ライン２３は、分岐コネクタ２１ｃ側より、ポンプチューブ２３ａ、除菌フィルター（輸液フィルター）６４、気泡除去用チャンバー２３ｃ、抗凝固剤容器接続用針２３ｄを備えている。図１中では、抗凝固剤容器接続用針２３ｄにキャップが被せられている。
【００３９】
この抗凝固剤注入ライン２３の抗凝固剤容器接続用針２３ｄは、抗凝固剤（抗凝固剤液）が収納（収容）された図示しない容器（バッグ）に接続され、これにより、容器内の抗凝固剤は、後述するように、抗凝固剤容器接続用針２３ｄから分岐コネクタ２１ｃに向かって抗凝固剤注入ライン２３を流れ、中空針側ライン２１ａに供給（注入）される。これにより、例えば、抗凝固剤注入ライン２３を介して、中空針２９１により採取された血液に抗凝固剤を添加（混合）することができる。
【００４０】
なお、抗凝固剤としては、特に限定されないが、例えば、ＡＣＤ−Ａ液等を用いることができる。
【００４１】
血液ポンプ１１、抗凝固剤ポンプ１２は、それぞれ、ポンプチューブ２１ｇ、２３ａを複数のローラーにより押圧閉塞しつつ回転するローターを有するローラーポンプ（チューブポンプ）で構成されている。
【００４２】
採血・返血ライン２１、採取バッグ側ライン２２、抗凝固剤注入ライン２３およびエアーバッグ側ライン２４の形成に使用されるチューブ、各ポンプチューブ２１ｇ、２３ａ、サブバッグ３２に接続されているチューブ３２ａ、チャンバー２１ｄに接続されているチューブ２１ｈ、分岐コネクタ６１に接続されているチューブ６２の構成材料としては、ポリ塩化ビニルが好ましい。
【００４３】
各チューブがポリ塩化ビニル製であれば、十分な可撓性、柔軟性が得られるので取り扱いがし易く、また、クレンメ等による閉塞にも適するからである。
【００４４】
なお、各ポンプチューブ２１ｇ、２３ａとしては、ローラーポンプにより押圧されても損傷を受けない程度の強度を備えるものが使用されている。
【００４５】
また、上述した分岐コネクタ２１ｃ、６１の構成材料についても、前記チューブの構成材料と同様のものを用いることができる。
【００４６】
血漿採取バッグ２５は、血漿を採取するための容器であり、採取バッグ側ライン２２を介して、遠心分離器２０に接続され、これにより）、血漿採取バッグ２５の内部は、ローター１４２の貯血空間１４６に連通している。
【００４７】
サブバッグ３２は、チューブ３２ａを介して血漿採取バッグ２５に接続され、それらの内部同士が連通している。このサブバッグ３２は、例えば、血漿保存バッグ等に用いることができる。
【００４８】
エアーバッグ２６は、一時的に空気（エアー）を収納（貯留）するための容器であり、エアーバッグ側ライン２４を介して、分岐コネクタ６１に接続されている。すなわち、エアーバッグ２６は、エアーバッグ側ライン２４、分岐コネクタ６１および採取バッグ側ライン２２を介して、遠心分離器２０に接続され、これにより、エアーバッグ２６の内部は、ローター１４２の貯血空間１４６に連通している。
【００４９】
これらの血漿採取バッグ２５、サブバッグ３２、エアーバッグ２６は、それぞれ、樹脂製の可撓性を有するシート材を重ね、その周縁部を融着（熱融着、高周波融着等）または接着して袋状にしたものが使用される。
【００５０】
血漿採取バッグ２５、サブバッグ３２、エアーバッグ２６に使用される材料としては、例えば、軟質ポリ塩化ビニルが好適に使用される。
【００５１】
血液成分採取回路２に設けられている遠心分離器２０は、通常、遠心ボウルと呼ばれており、ローター１４２と、ステーター１４５とを有し、遠心力により血液を血漿と血球（血小板、白血球および赤血球）とに分離する。
【００５２】
流路開閉手段５１は、エアーバッグ側ライン２４の流路の途中を開閉するために設けられている。
【００５３】
流路開閉手段５２は、分岐コネクタ６１より血漿採取バッグ２５側において採取バッグ側ライン２２の流路の途中を開閉するために設けられている。
【００５４】
流路開閉手段５１および流路開閉手段５２は、ラインもしくはチューブの挿入部を備え、挿入部には、例えば、ソレノイド、電動モーター、シリンダ（油圧または空気圧）等の駆動源で作動するクランプを有する。具体的には、ソレノイドで作動する電磁クランプが好適である。
【００５５】
遠心分離器駆動装置１０は、駆動源であるモータと、遠心分離器２０のローター１４２を保持する円盤状の固定台とで構成されており、モータを駆動すると、固定台およびそれに固定されたローター１４２が、あらかじめ設定された所定の遠心条件（例えば、回転数３０００〜６０００ｒｐｍ）で回転する。この遠心条件により、ローター１４２内の血液の分離パターン（例えば、分離する血液成分数）を設定することができる。
【００５６】
なお、ローター１４２において、貯血空間１４６の容積は、例えば、１００〜３５０ｍＬ程度とされる。
【００５７】
光学式センサ１５は、貯血空間１４６に向って投光するとともにその反射光を受光するように構成されている。
【００５８】
この光学式センサ１５は、投光部から光（例えばレーザー光）を照射（投光）し、ローター１４２の反射面で反射された反射光を受光部で受光する。そして、受光部においてその受光光量に応じた電気信号に変換される。
【００５９】
このとき、投光光および反射光は、それぞれ、貯血空間１４６内の血液成分を透過するが、血液成分の界面（本実施形態では、血漿層と血球層との界面）の位置に応じて、投光光および反射光が透過する位置における各血液成分の存在比が異なるため、それらの透過率が変化する。これにより、受光部での受光光量が変動（変化）し、この変動を受光部からの出力電圧の変化として検出することができる。
【００６０】
すなわち、光学式センサ１５は、受光部での受光光量の変化に基づき、血液成分の界面の位置を検出することができる。
【００６１】
ここで、貯血空間１４６内の血漿層と血球層とは、それぞれ、血液成分により色が異なっており、血球層は、赤血球の色に伴い赤色を呈している。このため、光学式センサ１５の精度向上の観点からは、投光光の波長に好適な範囲が存在し、この波長範囲としては、特に限定されないが、例えば、６００〜９００ｎｍ程度であるのが好ましく、７５０〜８００ｎｍ程度であるのがより好ましい。
【００６２】
重量センサ１６は、血漿採取バッグ２５内に採取された血漿の採取量を検出する検出手段を構成する。
【００６３】
濁度センサ１４は、採取バッグ側ライン２２中を流れる流体の濁度を検知するためのものであり、濁度に応じた電圧値を出力する。具体的には、濁度が高い時には低電圧値、濁度が低い時には高電圧値を出力する。
【００６４】
この濁度センサ１４により、例えば、採取バッグ側ライン２２中を流れる血漿中への血球の混入等を検出することができる。
【００６５】
第１の気泡センサ１７は、採血・返血ライン２１内に空気が流れたことを検知するためのものである。すなわち、この第１の気泡センサ１７により、採血・返血ライン２１内の血液の有無が検出される。
【００６６】
第４の気泡センサ３６および第５の気泡センサ３７は、それぞれ、空気または気泡が通過したことを検知するためのものである。これらにより、ドナーに空気が注入されることを防止する。
【００６７】
第２の気泡センサ３４は、抗凝固剤注入ライン２３内が空になったことを検出するため、抗凝固剤注入ライン２３の所定の位置における空気（抗凝固剤の有無）の検出に用いられる。
【００６８】
第３の気泡センサ３５は、遠心分離器２０の貯血空間１４６の流出口１４４と分岐コネクタ６１との間の採取バッグ側ライン２２内に空気や血液（血漿）が流れたことを検知するためのものである。すなわち、この第３の気泡センサ３５により、採取バッグ側ライン２２内の血液の有無が検出される。
【００６９】
より詳細には、前記第１の気泡センサ１７、第２の気泡センサ３４、第３の気泡センサ３５、第４の気泡センサ３６および第５の気泡センサ３７は、それぞれ、チューブの外側から超音波を送受信し、液体と気泡（気体）とで超音波の伝導率が異なるのを利用して、チューブ内の気体および液体（気／液の別、気／液面等）を検出することができる検出手段である。なお、これら各気泡センサ（気体および液体検出手段）としては、上記超音波センサ（超音波式センサ）に限らず、例えば、光学式センサ、赤外線センサ等を用いてもよい。
【００７０】
また、前記濁度センサ１４としては、例えば、超音波センサ、光学式センサ、赤外線センサ等が使用できる。
【００７１】
図３に示すように、腕帯（カフ）（駆血帯）７は、空気が収納（導入）される袋体７１と、この袋体７１を覆うカバー７２とを有している。袋体７１は、空気が注入（導入）されることにより拡張するようになっている。また、カバー７２には、マジックテープ（「マジックテープ」は登録商標）が設けらており、そのマジックテープにより、ドナーの腕に腕帯７を巻き付けた状態で固定し得るようになっている。
【００７２】
また、袋体７１には、チューブ７３の一端側が接続されており、そのチューブ７３の他端側には、リーク弁５７を介してコンプレッサー５６に対して着脱自在に接続される接続部（図示せず）が設けられている。これにより、コンプレッサー５６の作動によって、腕帯７の袋体７１内に空気を注入することができ、また、リーク弁５７を開くことによって、袋体７１内の空気を外部に排出することができる。
【００７３】
リーク弁５７を閉じた状態で、コンプレッサー５６を作動させて、腕帯７の袋体７１内に空気を注入すると、袋体７１が拡張してゆく。これにより、袋体７１の内部の圧力（内圧）が増大し、腕帯７によるドナーの腕の締付力が増大する。
【００７４】
また、リーク弁５７を閉じた状態で、コンプレッサー５６を停止すると、袋体７１の内部の圧力が一定値に保持され、腕帯７によるドナーの腕の締付力が一定値に保持される。
【００７５】
また、コンプレッサー５６を停止した状態で、リーク弁５７を開くと、袋体７１内の空気が外部に排出され、袋体７１が収縮してゆく。これにより、袋体７１の内部の圧力が減少し、腕帯７によるドナーの腕の締付力が減少する。
また、袋体７１内の圧力は、圧力計５７により検出（測定）されるようになっている。
【００７６】
制御手段５５は、例えば、マイクロコンピューター等で構成されており、遠心分離器駆動装置１０、血液ポンプ１１、抗凝固剤ポンプ１２、コンプレッサー５６、リーク弁５７、流路開閉手段５１、流路開閉手段５２、濁度センサ１４、光学式センサ１５、重量センサ１６、第１の気泡センサ１７、第２の気泡センサ３４、第３の気泡センサ３５、第４の気泡センサ３６、第５の気泡センサ３７、圧力センサ１８、圧力計５８、タッチパネル（オペレーター用タッチパネル）１９、ドナー用タッチパネル５０、ブザー５３およびランプ５４等と、それぞれ、電気的に接続されている。なお、この制御手段５５は、演算部とメモリー（いずれも図示せず）を内蔵している。
【００７７】
この制御手段５５により、圧力制御手段と、ドナーから採取される血液の流量が所定値以下に低下したか否かを判別する判別手段との主機能が、それぞれ達成（構成）される。
【００７８】
また、制御手段５５および圧力センサ１８により、ドナーから採取される血液の流量を検出する検出手段が構成される。
【００７９】
タッチパネル１９は、液晶表示パネル、ＥＬ表示パネル等を備えており、オペレーターの指示の入力を受け付ける入力手段（操作手段）としての機能と、各種の情報を表示（報知）する表示手段（報知手段）としての機能とを有するものである。なお、入力手段（例えば、操作ボタン、操作スイッチ、操作ダイヤル等）と、液晶表示パネル、ＥＬ表示パネル等の表示手段（報知手段）とを、別個に設けるようにしてもよい。
【００８０】
ドナー用タッチパネル５０は、液晶表示パネル、ＥＬ表示パネル等を備えており、ドナーの指示の入力を受け付ける入力手段（操作手段）としての機能と、各種の情報を表示（報知）する表示手段（報知手段）としての機能とを有するものである。なお、入力手段（例えば、操作ボタン、操作スイッチ、操作ダイヤル等）と、液晶表示パネル、ＥＬ表示パネル等の表示手段（報知手段）とを、別個に設けるようにしてもよい。また、入力手段は、省略されていてもよい。
【００８１】
濁度センサ１４、光学式センサ１５、重量センサ１６、第１の気泡センサ１７、第２の気泡センサ３４、第３の気泡センサ３５、第４の気泡センサ３６、第５の気泡センサ３７、圧力センサ１８および圧力計５８からの検出信号は、それぞれ、制御手段５５へ随時入力される。また、タッチパネル１９からは、タッチパネル１９に入力されたオペレーターの指示内容に応じた信号が制御手段５５へ随時入力される。制御手段５５は、これらからの各信号に基づき、予め設定されたプログラムに従って、血液成分採取装置１の作動、すなわち、血液ポンプ１１、抗凝固剤ポンプ１２の回転、停止、あるいは、回転方向（正転／逆転）を制御するとともに、必要に応じ、各流路開閉手段５１、５２の開閉、遠心分離器駆動装置１０、コンプレッサー５６、リーク弁５７、タッチパネル１９、ドナー用タッチパネル５０、ブザー５３およびランプ５４の作動を制御する。
【００８２】
このような制御手段５５は、ドナーから採取された血液を遠心分離器２０（貯血空間１４６）内に流入させ、遠心分離器２０により分離された血漿を血漿採取バッグ２５内に採取（移送）する血漿採取工程（血液成分採取工程）と、遠心分離器２０内に残った主として血球（残りの血液成分）をドナーへ返還（返血）する返血工程（血球返還工程）（血液成分返還工程）とを有する血漿採取操作（血液成分採取操作）を行うように、血液成分採取装置１の作動を制御する。この血漿採取操作は、少なくとも１回（１サイクル）、通常は、複数回（複数サイクル）行われる。
【００８３】
以下、血液成分採取装置１の使用方法および作用について説明する。
まず、オペレーター（操作者）は、ドナーの腕に腕帯７を装着する（巻き付ける）。また、オペレーターは、タッチパネル１９に表示された所定の操作ボタン（操作スイッチ）を押す等、所定の操作を行って、抗凝固剤注入ライン２３と中空針組立体２９とを抗凝固剤でプライミングし、その後、中空針２９１をドナーの血管に穿刺する。これにより、血漿の採取準備（採血の準備）を完了する。
【００８４】
次に、オペレーターは、タッチパネル１９に表示された採取開始ボタン（採取開始スイッチ）を押す。これにより、制御手段５５により所定のプログラムが実行され、第１サイクルの血漿採取操作（採血）が開始される。血漿採取操作では、血液成分採取装置１は、まず、血漿採取工程を行う。
【００８５】
血漿採取工程では、血液ポンプ１１を図１中時計回り（正方向）に回転（正転）させて、採血を開始する。同時に、流路開閉手段５１を開放し、流路開閉手段５２を閉塞して、採取バッグ側ライン２２およびエアーバッグ側ライン２４を介して、遠心分離器２０の貯血空間１４６内等の血液成分採取回路２内の空気（滅菌空気）を、エアーバッグ２６内に移送し、収納する。
【００８６】
また、前記採血と同時に、抗凝固剤ポンプ１２を図１中反時計回り（正方向）に回転（正転）させて、抗凝固剤注入ライン２３を介して、例えばＡＣＤ−Ａ液のような抗凝固剤を供給し、この抗凝固剤を採血血液中に添加させる。
【００８７】
これにより、血液（抗凝固剤添加血液）は、採血・返血ライン２１を介して移送され、遠心分離器２０の流入口１４３よりローター１４２の貯血空間１４６内に導入される。
【００８８】
このとき、遠心分離器２０の貯血空間１４６内の空気は、採取バッグ側ライン２２およびエアーバッグ側ライン２４を介して、エアーバッグ２６内に移送され、収納される。
【００８９】
また、前記採血と同時にまたはこれと前後して、遠心分離器駆動装置１０を作動し、ローター１４２を所定の回転数で回転する。このローター１４２の回転により、貯血空間１４６内に導入された血液は、内側から血漿層（ＰＰＰ層）と血球層の２層に分離される。
【００９０】
さらに、前記採血および前記抗凝固剤の供給を継続し、貯血空間１４６の容量を超える抗凝固剤添加血液が貯血空間１４６内に導入されると、貯血空間１４６内は完全に血液により満たされ、遠心分離器２０の流出口１４４から血漿がオーバーフローし、その血漿は、採取バッグ側ライン２２を流れる。
【００９１】
次いで、第３の気泡センサ３５により、遠心分離器２０の貯血空間１４６から流出する血漿が検出されると、貯血空間１４６内の空気のエアーバッグ２６内への収納が完了する。
【００９２】
次いで、流路開閉手段５１を閉塞し、流路開閉手段５２を開放し、採取バッグ側ライン２２を介して、遠心分離器２０の貯血空間１４６内の血漿を、血漿採取バッグ２５内に移送し、採取する。
【００９３】
なお、血漿採取バッグ２５は、その重量が重量センサ１６により計測されており、計測された重量信号は制御手段５５に入力される。
【００９４】
血漿採取を終了する場合は、血液ポンプ１１、抗凝固剤ポンプ１２の作動を停止するとともに、流路開閉手段５１を開放し、流路開閉手段５２を閉塞し、遠心分離器駆動装置１０の作動を停止して、遠心分離器２０のローター１４２の回転を停止する。
【００９５】
以上で、血漿採取工程を終了し、血球返還工程（返血）に移行する。この血球返還工程では、血液成分採取回路２（主に、遠心分離器２０の貯血空間１４６）内に残った血液成分をドナーへ返還する。具体的には、血液ポンプ１１を図１中反時計回り（逆方向）に回転（逆転）させる。
【００９６】
これにより、遠心分離器２０の貯血空間１４６内の残りの血液成分は、遠心分離器側ライン２１ｂ、中空針側ライン２１ａおよび中空針２９１を介して、ドナーへ返還される。
【００９７】
次いで、第１の気泡センサ１７によって空気が検出されると、この返血を終了し、次のサイクルの血漿採取操作の血漿採取工程に移行する。
【００９８】
本サイクルが最終サイクルの場合には、第５の気泡センサ３７によって空気が検出されると、返血を終了する。これにより、血液成分採取回路２内の残りの血液成分が、ほぼ全てドナーへ返還され、血漿採取操作を終了する。
【００９９】
ここで、前記血漿採取工程（ドナーから血液を採取しているとき）においては、腕帯７の袋体７１の内部の圧力は、例えば、２０〜１００ｍｍＨｇ程度（大気圧＋２０〜大気圧＋１００ｍｍＨｇ）になり、腕帯７によりドナーの腕が締め付けられる。
【０１００】
一方、前記血球返還工程（ドナーから血液を採取していないとき）においては、腕帯７の袋体７１の内部の圧力は、ほぼゼロ（ほぼ大気圧）になり、腕帯７によるドナーの腕の締め付けが解除される。
【０１０１】
なお、腕帯７の袋体７１の内部の圧力は、オペレーターがタッチパネル１９で操作することによって、自在に調整することができるようになっている。
【０１０２】
さて、この血液成分採取装置１は、制御手段５５の制御により、採血中、すなわち、血漿採取工程において、ドナーから採取される血液の流量（血流）を検出し、この検出結果に基づいて、圧力調整手段であるコンプレッサー５６およびリーク弁５７の作動を制御し、腕帯７によるドナーの腕の締付力を少なくとも１回（好ましくは複数回）変化させるように構成されている。
【０１０３】
この場合、制御手段５５（圧力調整手段）は、前記ドナーから採取される血液の流量の検出結果に基づいて、コンプレッサー５６およびリーク弁５７の作動を制御し、腕帯７によるドナーの腕の締付力を変化させることで、ドナーに対し、血液の流量が低下した旨等（本実施形態では、血液の流量が低下したことと、ドナー用タッチパネル５０に表示されたメッセージがあること）を報知する報知手段（第１の報知手段）として機能する。具体的には、制御手段５５は、前記ドナーから採取される血液の流量の検出結果に基づいて、前記血液の流量が所定値（しきい値）以下に低下したか否かを判別（判断）し、その血液の流量が所定値以下に低下したと判断した場合（以下、「血液の流量が所定値以下に低下した場合」とも言う）に、腕帯７によるドナーの腕の締付力を変化させる。
【０１０４】
前記所定値は、設定流量（設定速度）の１／３〜５／６程度、例えば、２０〜５０ｍＬ／分程度であるのが好ましい。また、血液の流量が前記所定値以下に低下した状態が所定時間（例えば、５〜６０秒程度）継続した場合に、腕帯７によるドナーの腕の締付力を変化させるように構成されているのがより好ましい。
【０１０５】
そして、血液成分採取装置１は、血液の流量が所定値以下に低下した場合（好ましくは、血液の流量が所定値以下に低下した状態が所定時間継続した場合）に、ドナー用タッチパネル５０に、血液の流量を増大させて回復させるための対応方法を表示して、ドナーに対して、その対応方法を報知するようになっている。このように、ドナー用タッチパネル５０は、第２の報知手段として機能する。
【０１０６】
また、対応しても回復しない場合等にオペレーターコール（ナースコール）するための手段が設けられている。
【０１０７】
ここで、この血液成分採取装置１では、前記血漿採取工程において、圧力センサ１８により、中空針側ライン２１ａの流路内の圧力を検出している。そして、ドナーから採取される血液の流量が低下すると、中空針側ライン２１ａの流路内の圧力が低下するので、制御手段５５の制御により、中空針側ライン２１ａの流路内の圧力が所定範囲内の値（略一定）となるように、血液ポンプ１１の作動を制御し、その回転数（回転速度）を調整している。例えば、ドナーから採取される血液の流量が低下し、中空針側ライン２１ａの流路内の圧力が低下すると、血液ポンプ１１の回転数（回転速度）を減少させ、これにより、中空針側ライン２１ａの流路内の圧力低下を抑制する。したがって、ドナーから採取され、中空針側ライン２１ａを流れる血液の流量は、血液ポンプ１１の回転数（回転速度）と、血液ポンプ１１の１回転当りの血液の送液量とに基づいて、求めることができる。
【０１０８】
以下、図４に基づいて、採血中、すなわち、血漿採取工程において実行される血流管理処理（血流管理操作）について説明する。
【０１０９】
図４は、図１に示す血液成分採取装置の作用を説明するためのフローチャート（制御手段５５の制御動作を示すフローチャート）である。
【０１１０】
採血中、すなわち、血漿採取工程においては、図４に示す血流管理処理（血流管理操作）が実行される。
【０１１１】
図４に示すように、まずは、ドナーから採取される血液の流量を検出する（ステップＳ１０１）。このステップＳ１０１では、血液ポンプ１１の回転数（回転速度）と、血液ポンプ１１の１回転当りの血液の送液量とに基づいて、中空針側ライン２１ａを流れる血液の流量を求める。
【０１１２】
次いで、血液の流量が所定値（しきい値）以下であるか否かを判断する（ステップＳ１０２）。前記所定値は、前述したように、設定流量の１／３〜５／６程度、例えば、２０〜５０ｍＬ／分程度であるのが好ましい。
【０１１３】
ステップＳ１０２において、血液の流量が所定値以下ではないと判断した場合（ステップＳ１０２で「ＮＯ」）には、血流は十分であり、ステップＳ１０１に戻り、再度、ステップＳ１０１以降を実行する。
【０１１４】
一方、ステップＳ１０２において、血液の流量が所定値以下であると判断した場合（ステップＳ１０２で「ＹＥＳ」）には、血流が不十分であり、タイマー（図示せず）をスタートする。次いで、所定時間経過したか否かを判断する（ステップＳ１０３）。このステップＳ１０３では、ステップＳ１０２でタイマーをスタートしてからそのタイマーによる計測時間が所定時間経過したか否かを判断する。
【０１１５】
また、前記ステップＳ１０３の所定時間は、１〜３分程度であるのが好ましく、２分程度であるのがより好ましい。
【０１１６】
ステップＳ１０３において、所定時間経過していない場合には、所定時間経過したか否かを判断する（ステップＳ１１０）。このステップＳ１１０では、ステップＳ１０２でタイマーをスタートしてからそのタイマーによる計測時間が所定時間経過したか否かを判断する。
【０１１７】
また、前記ステップＳ１１０の所定時間は、５〜６０秒程度であるのが好ましく、２０〜４０秒程度であるのがより好ましい。
【０１１８】
ステップＳ１１０において、所定時間経過していない場合、すなわち、血液の流量が所定値以下に低下した状態が所定時間継続していない場合には、一過性の（一時的な）血流低下の可能性があるので、ステップＳ１０１に戻り、再度、ステップＳ１０１以降を実行する。
【０１１９】
一方、ステップＳ１１０において、所定時間経過した場合、すなわち、血液の流量が所定値以下に低下した状態が所定時間継続した場合には、ドナー用タッチパネル５０に、血液の流量が低下したことと、血液の流量を増大させて回復させるための対応方法とを示すメッセージを表示する（ステップＳ１１１）。
【０１２０】
このメッセージとの例しては、例えば、「血液の流量が低下したので、手のグリップ運動をして下さい。」、「血液の流量が低下したので、ゆっくりと、手を握ったり、離したりを繰り返して下さい。」等が挙げられる。
【０１２１】
また、ドナー用タッチパネル５０には、オペレーターコールボタン（オペレーターコールスイッチ）が表示されており、ドナーは、例えば、努力しても血流が回復しない場合、対処方法が解らない場合、痛みがある場合等には、そのオペレーターコールボタンを押す。
【０１２２】
次いで、ドナー用タッチパネル５０に表示されたオペレーターコールボタンが押されたか否かを判断し（ステップＳ１１２）、押された場合には、後述するステップＳ１０４に移行し、また、押されない場合には、腕帯７によるドナーの腕の締付力を少なくとも１回（好ましくは、複数回）変化させることで、ドナーに対して、血液の流量が低下したことと、ドナー用タッチパネル５０に表示されたメッセージ（表示画面）があることとを報知する。この場合、本実施形態では、採血時（現在）の締付力（弱締付力）での締め付けと、採血時の締付力よりも所定値高い締付力（強締付力）での締め付けとを交互に所定回繰り返す。なお、ドナーに対しては、予め、前記腕帯７による腕の締付力が変化した場合は、血液の流量が低下したことを示すことと、ドナー用タッチパネル５０にメッセージが表示されるので、そのドナー用タッチパネル５０の画面を見ることとを伝えておく（指示しておく）。
【０１２３】
まずは、腕帯７の袋体７１の内部の現在の圧力（圧力値）を「低圧力値」として、記憶する（ステップＳ１１３）。
【０１２４】
次いで、腕帯７の袋体７１の内部の圧力を低圧力値から所定値増大させ、高圧力値に変更する（ステップＳ１１４）。この高圧力値（強締付力）は、低圧力値（低締付力）＋５〜低圧力値＋２０ｍｍＨｇ程度であるのが好ましい。
【０１２５】
次いで、所定時間経過したか否かを判断する（ステップＳ１１５）。前記所定時間は、０．１〜２秒程度であるのが好ましく、０．５〜１秒程度であるのがより好ましい。
【０１２６】
ステップＳ１１５において、所定時間経過した場合には、腕帯７の袋体７１の内部の圧力を高圧力値から低圧力値に戻す（ステップＳ１１６）。
【０１２７】
次いで、所定時間経過したか否かを判断する（ステップＳ１１７）。前記所定時間は、０．１〜２秒程度であるのが好ましく、０．５〜１秒程度であるのがより好ましい。
【０１２８】
ステップＳ１１７において、所定時間経過した場合には、前記腕帯７の袋体７１の内部の圧力を高圧力値とし、所定時間待機し、低圧力値とし、所定時間待機する操作を、所定回繰り返したか否かを判断する（ステップＳ１１８）。前記所定回は、１〜１０回程度であるのが好ましく、２〜３回程度であるのがより好ましい。
【０１２９】
ステップＳ１１８において、所定回繰り返していない場合には、ステップＳ１１４に戻り、再度、ステップＳ１１４以降を実行する。
【０１３０】
一方、ステップＳ１１８において、所定回繰り返した場合には、ステップＳ１０１に戻り、再度、ステップＳ１０１以降を実行する。
【０１３１】
ここで、ドナーは、腕帯７による腕の締め付け動作が、弱締付力での締め付けと、強締付力での締め付けとが交互に繰り返されることで、血液の流量が低下したことと、ドナー用タッチパネル５０に表示されたメッセージがあることとを知り、そのメッセージを読み、手のグリップ運動を行う。また、眠っていたドナーは、その刺激によって起こされる。これにより、通常は、血液の流量が増大し、前記所定値を超えるまで回復する。
【０１３２】
また、前記ステップＳ１０３において、所定時間経過した場合、または、前記ドナー用タッチパネル５０に表示されたオペレーターコールボタンが押された場合には、オペレーターコール（ナースコール）処理を行う（ステップＳ１０４）。なお、ドナーが、例えば、ドナー用タッチパネル５０に表示されたメッセージに気付かないか、または、気付いても前記血液の流量を増大させて回復させるための手のグリップ運動等を行わなかった場合や、また、行っても血液の流量が前記所定値を超えなかった場合は、前記ステップＳ１０３において所定時間経過し、このステップＳ１０４に移行する。
【０１３３】
ステップＳ１０４のオペレーターコール処理では、ブザー５３を鳴らし（作動させ）、ランプ５４を点灯する（作動させる）ことで、オペレーターに対し、血液の流量が回復しないことを報知するとともに、オペレーターを呼ぶ。したがって、ブザー５３により、第３の報知手段およびコール手段が構成され、同様に、ランプ５４により、第３の報知手段およびコール手段が構成される。
【０１３４】
また、前記オペレーターコール処理では、タッチパネル１９にオペレーターコールリセットボタン（オペレーターコールリセットスイッチ）を表示する。
【０１３５】
ここで、オペレーターは、タッチパネル１９に表示されたオペレーターコールリセットボタンを押してから、例えば、血液の流量を増大させて回復させるための所定の処置を行なう。この処置としては、例えば、中空針２９１の穿刺角度を変更したり、また、中空針２９１を少し手前に引く等の行為が挙げられる。また、オペレーターは、例えば、ドナーが血液の流量を増大させて回復させるための手のグリップ運動等を行わなかった場合は、ドナーに対して、その手のグリップ運動等を行なうように指導する。
【０１３６】
次いで、オペレーターコールリセットボタンが押されたか否かを判断し（ステップＳ１０５）、押された場合には、タッチパネル１９に採血中止ボタン（採血中止スイッチ）および処置完了ボタン（処置完了スイッチ）を表示し、採血中止ボタンが押されたか否かを判断し（ステップＳ１０６）、採血中止ボタンが押されない場合には、ステップＳ１０５でオペレーターコールリセットボタンが押されてから、所定時間（例えば、２分程度）経過したか否かを判断し（ステップＳ１０７）、所定時間経過した場合には、低流量状態で長時間経過したことをオペレーターに通知するため、ステップＳ１０４に戻り、再度、ステップＳ１０４以降を実行し、所定時間経過していない場合には、処置完了ボタンが押されたか否かを判断し（ステップＳ１０８）、処置完了ボタンが押されない場合には、ステップＳ１０６に戻り、再度、ステップＳ１０６以降を実行する。
【０１３７】
ここで、オペレーターは、前記血液の流量を増大させて回復させるための所定の処置が完了したら、処置完了ボタンを押す。一方、前記所定の処置等を行っても採血を継続することが困難な場合には、採血中止ボタンを押す。
【０１３８】
前記ステップＳ１０６において、採血中止ボタンが押された場合には、採血を中止するための所定の工程（処理）を実行して（ステップＳ１０９）、採血を中止し、このプログラムを終了する。
【０１３９】
また、ステップＳ１０８において、処置完了ボタンが押された場合には、ステップＳ１０１に戻り、再度、ステップＳ１０１以降を実行する。なお、血漿採取工程が終了すると、このプログラムを終了する。
【０１４０】
以上説明したように、この血液成分採取装置１によれば、採血の際、ドナーから採取される血液の流量（血流）が低下しても、オペレーターの手を煩わすことなく、その血液の流量を増大（血流を促進）させて回復させることができる。これにより、効率良く、かつ確実に、血漿（血液成分）を採取することができる。
【０１４１】
すなわち、このこの血液成分採取装置１では、ドナーから採取される血液の流量が所定値以下に低下した場合に、ドナーに対し、血液の流量が低下したことと、ドナー用タッチパネル５０に表示されたメッセージがあることとが、腕帯７によるドナーの腕の締付力の変化によって報知され、また、ドナー用タッチパネル（第２の報知手段）５０に、血液の流量を増大させて回復させるための対応方法が表示されるので、ドナーは、そのメッセージを見て、オペレーターの手を煩わすことなく、容易、迅速かつ確実に対応することができる。これにより、オペレーターの手間を軽減することができるだけでなく、例えば、オペレーターが忙しく、従来の血液成分採取装置ではその対応に間に合わず装置が停止してしまう場合でも、それを防止することができる。
【０１４２】
なお、前記実施形態では、ドナーから採取される血液の流量が所定値以下に低下した場合、所定時間経過しても血液の流量が所定値を超える値まで回復しない場合に、血液成分採取装置１が、自動的に、ブザー５３を鳴らし、ランプ５４を点灯するようになっているが、本発明では、これに限らず、例えば、前記自動コール機構（自動コール手段）が省略され、ドナーが、手作業で操作することで、ブザー５３が鳴り、ランプ５４が点灯する（オペレーターコールがなされる）ように構成してもよい。この具体例としては、例えば、下記の構成が挙げられる。
【０１４３】
すなわち、手動操作で作動し、オペレーターを呼ぶコール手段として、前記ブザー５３およびランプ５４を設け、例えば、ドナー用タッチパネル５０に表示されるオペレーターコールボタン（オペレーターコールスイッチ）を押すと、ブザー５３が鳴り（作動し）、ランプ５４が点灯（作動）して報知する。このように、ブザー５３、もしくはブザー５３およびランプ５４により、第３の報知手段が構成される。
【０１４４】
そして、ドナーから採取される血液の流量が所定値以下に低下した場合、所定時間経過しても血液の流量が所定値を超える値まで回復しない場合に、ドナー用タッチパネル５０に、オペレーターを呼ぶことを促すメッセージを表示し、ドナーに対して、そのメッセージを報知する。したがって、ドナー用タッチパネル５０により、第２の報知手段および第４の報知手段が構成される。
【０１４５】
なお、この構成（変形例）は、後述する第２実施形態および第３実施形態にもそれぞれ同様に適用することができる。
【０１４６】
＜第２実施形態＞
次に、本発明の採血装置の第２実施形態について説明する。
【０１４７】
図５は、本発明の採血装置を、主に血漿を採取する血液成分採取装置に適用した場合の第２実施形態における制御回路を示すブロック図、図６は、図５に示す血液成分採取装置の作用を説明するためのフローチャート（制御手段５５の制御動作を示すフローチャート）である。
【０１４８】
以下、第２実施形態の血液成分採取装置（採血装置）１について、前述した第１実施形態との相違点を中心に説明し、同様の事項については、その説明を省略する。
【０１４９】
前述した第１実施形態では、腕帯７によるドナーの腕の締付力を変化させることでドナーに対して報知するのに対し、第２実施形態の血液成分採取装置１は、刺激付与手段によりドナーに刺激を与えることで、ドナーに対し、血液の流量が低下した旨等（本実施形態では、血液の流量が低下したことと、ドナー用タッチパネル５０に表示されたメッセージがあること）を報知するように構成されていることが異なっていること以外は、前述した第１実施形態と同様である。
【０１５０】
図５に示すように、第２実施形態の血液成分採取装置１では、所定の刺激をドナーに与える刺激付与手段として、ドナーに振動を与えるバイブレータ（加振手段）５９を有している。このバイブレータ５９は、腕帯７の袋体７１とカバー７２との間に設置されており、その振動（刺激）をドナーの腕に与えるようになっている。
【０１５１】
また、バイブレータ５９は、制御手段５５に電気的に接続されており、制御手段５５は、そのバイブレータ５９の作動を制御する。したがって、制御手段５５により、刺激制御手段の主機能が達成（構成）される。
【０１５２】
そして、制御手段５５は、ドナーから採取される血液の流量の検出結果に基づいて、バイブレータ５９の作動を制御し、バイブレータ５９によりドナーの腕に振動を与えることで、ドナーに対し、血液の流量が低下した旨等（本実施形態では、血液の流量が低下したことと、ドナー用タッチパネル５０に表示されたメッセージがあること）を報知する報知手段（第１の報知手段）として機能する。
【０１５３】
次に、図６に基づいて、採血中、すなわち、血漿採取工程において実行される血流管理処理（血流管理操作）について説明する。
【０１５４】
図６に示すように、ステップＳ２０１〜Ｓ２１２は、それぞれ、第１実施形態におけるステップＳ１０１〜Ｓ１１２と同様であるので、その説明は省略する。
【０１５５】
ステップＳ２１２において、オペレーターコールボタンが押されない場合には、バイブレータ５９の作動を開始して、そのバイブレータ５９からドナーの腕に振動を与える（ステップＳ２１３）。
【０１５６】
また、ドナー用タッチパネル５０には、停止ボタン（停止スイッチ）が表示されており、次いで、その停止ボタンが押されたか否かを判断する（ステップＳ２１４）。
【０１５７】
ステップＳ２１４において、停止ボタンが押された場合には、バイブレータ５９を停止させ（ステップＳ２１５）、ステップＳ２０１に戻り、再度、ステップＳ２０１以降を実行する。
【０１５８】
ここで、ドナーに対しては、予め、前記バイブレータ５９から振動が与えられた場合は、血液の流量が低下したことを示すことと、ドナー用タッチパネル５０にメッセージが表示されるので、そのドナー用タッチパネル５０の画面を見ることを伝えておく。
【０１５９】
これにより、ドナーは、前記バイブレータ５９から振動が与えられるることで、血液の流量が低下したことと、ドナー用タッチパネル５０に表示されたメッセージがあることとを知り、そのメッセージを読み、手のグリップ運動を行う。これにより、通常は、血液の流量が増大し、前記所定値を超えるまで回復する。
この血液成分採取装置１によれば、前述した第１実施形態と同様の効果が得られる。
【０１６０】
＜第３実施形態＞
次に、本発明の採血装置の第３実施形態について説明する。
【０１６１】
図７は、本発明の採血装置を、主に血漿を採取する血液成分採取装置に適用した場合の第３実施形態における作用を説明するためのフローチャート（制御手段５５の制御動作を示すフローチャート）である。
【０１６２】
以下、第３実施形態の血液成分採取装置（採血装置）１について、前述した第２実施形態との相違点を中心に説明し、同様の事項については、その説明を省略する。
【０１６３】
第３実施形態の血液成分採取装置１は、腕帯７によるドナーの腕の締付力を少なくとも１回変化させることで血流を促進させる血流促進操作を実行し得るように構成されていることが異なっていること以外は、前述した第２実施形態と同様である。
【０１６４】
すなわち、第２実施形態の血液成分採取装置１では、制御手段５５の制御により、ドナーから採取される血液の流量が所定値以下に低下した場合に、腕の締付力を少なくとも１回（好ましくは、複数回）変化（加圧）させることで血流を促進させる血流促進操作を実行するように構成されている。
【０１６５】
そして、制御手段５５は、血流促進操作を実行した後、再度、ドナーから採取される血液の流量を検出し、この検出結果に基づいて、前記血液の流量が所定値以下であるか否かを判別（判断）し、前記血液の流量が所定値以下である場合は、バイブレータ５９の作動を制御し、バイブレータ５９によりドナーの腕に振動を与えることで、ドナーに対し、血液の流量が低下した旨等（本実施形態では、血液の流量が低下したことと、ドナー用タッチパネル５０に表示されたメッセージがあること）を報知するように構成されている。
【０１６６】
次に、図７に基づいて、採血中、すなわち、血漿採取工程において実行される血流管理処理（血流管理操作）について説明する。
【０１６７】
図７に示すように、ステップＳ３０１〜Ｓ３１０、Ｓ３１５〜Ｓ３１９は、それぞれ、第２実施形態におけるステップＳ２０１〜Ｓ２１０、Ｓ２１１〜Ｓ２１５と同様であるので、その説明は省略する。
【０１６８】
ステップＳ３１０において、ステップＳ３０２でタイマーをスタートしてからそのタイマーによる計測時間が所定時間経過したか否かを判断する。
【０１６９】
このステップＳ３１０において、所定時間経過していない場合、すなわち、血液の流量が所定値以下に低下した状態が所定時間継続していない場合には、一過性の（一時的な）血流低下の可能性があるので、ステップＳ３０１に戻り、再度、ステップＳ３０１以降を実行する。
【０１７０】
一方、ステップＳ３１０において、所定時間経過した場合、血流促進操作を行ったか否かを判断する（ステップＳ３１１）。今回の採血において、既に血流促進操作を行っている場合には、その血流促進操作では血液の流量の回復は見込められないので、ステップＳ３１５に移行する。
【０１７１】
ステップＳ３１１において、血流促進操作を行っていない場合には、血流促進操作を実行する（ステップＳ３１２）。
【０１７２】
ステップＳ３１２の血流促進操作では、腕帯７により、ドナーの腕を締め付け、その際、比較的弱い締付力での締め付けと、比較的強い締付力での締め付けとを交互に所定回繰り返す。これにより、血液の流量が増大し、前記所定値を超えるまで回復することが期待される。
【０１７３】
次いで、再度、ドナーから採取される血液の流量を検出し（ステップＳ３１３）、血液の流量が所定値以下であるか否かを判断する（ステップＳ３１４）。
【０１７４】
ステップＳ３１４において、血液の流量が所定値以下ではないと判断した場合（ステップＳ３１４で「ＮＯ」）には、血流は十分であり、ステップＳ３０１に戻り、再度、ステップＳ３０１以降を実行する。
【０１７５】
一方、ステップＳ３１４において、血液の流量が所定値以下であると判断した場合（ステップＳ３１４で「ＹＥＳ」）には、血流が不十分であり、ステップＳ３１５に移行する。
【０１７６】
この血液成分採取装置１によれば、前述した第２実施形態と同様の効果が得られる。
そして、この血液成分採取装置１では、ドナーから採取される血液の流量が所定値以下に低下した場合に、まずは、血流促進操作が実行されるので、ドナーおよびオペレーターの手間がかからず、より容易かつ確実に、血漿（血液成分）を採取することができる。
【０１７７】
なお、前記実施形態では、前記ドナーに対して血液の流量が低下した旨等を報知する方式（方法）は、バイブレータ５９によりドナーに振動を与える方式であるが、本発明では、これに限らず、例えば、前述した第１実施形態のように、腕帯７によるドナーの腕の締付力を少なくとも１回（好ましくは複数回）変化させる方式等であってもよい。腕帯７によるドナーの腕の締付力を変化させる方式を採用する場合は、例えば、その腕帯７によるドナーの腕の締付パターンを、前記血流促進操作における腕帯７によるドナーの腕の締付パターンと、換えることで、ドナーが誤認識してしまうのを防止することができる。
【０１７８】
以上、本発明の採血装置を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０１７９】
なお、本発明では、刺激付与手段は、腕帯に限らず、他の部位に設けられていてもよい。また、刺激付与手段は、バイブレータ等の加振手段には限定されない。
【０１８０】
また、タッチパネル（オペレーター用タッチパネル）１９とドナー用タッチパネル５０とを兼用可能な１つのタッチパネルを設けてもよい。
【０１８１】
また、バイブレータは、腕帯に内蔵されているものに限らず、採血装置と独立して設けて、無線通信で連動させてもよい。ドナー用タッチパネルは、採血装置と一体化されていてもよく、また、独立して設けて無線通信で連動させてもよい。また、バイブレータとドナー用タッチパネルが一体化されており、採血装置から独立していてもよい。
【０１８２】
また、本発明では、第２の報知手段および第４の報知手段は、タッチパネル等の表示手段に限らず、例えば、音声等で伝える手段であってもよい。
【０１８３】
また、本発明では、第３の報知手段やコール手段は、ブザー、ランプ等に限らず、例えば、音声等で伝える手段であってもよい。
【０１８４】
また、本発明は、血漿製剤（または血漿分画製剤の原料血漿）を得るのに適用する場合に限らず、例えば、血液中から、血小板製剤、赤血球製剤、白血球製剤等を得る場合に適用してもよい。すなわち、本発明では、血液成分採取バッグに採取される血液成分は、血漿に限らず、例えば、血小板（血漿を含む血小板）、赤血球（血漿を含む赤血球）、白血球（血漿を含む白血球）等であってもよい。
【０１８５】
また、本発明は、血液成分採取バッグを複数有し、複数の血液成分を採取し得るように構成されていてもよい。
【０１８６】
また、上述した実施形態では、採血ラインおよび返血ラインが一体となったいわゆる間歇式（一針式または片腕式とも呼ばれる）の採血装置に本発明を適用した場合について説明したが、本発明は、この方式のものに限らず、例えば、採血ラインと返血ラインとが別個に設けられたいわゆる連続式（二針式または両腕式とも呼ばれる）の採血装置にも適用することができる。
【０１８７】
また、本発明は、所定の血液成分を採取して、残りの血液成分をドナーに返還しない採血装置に適用することもできる。
【０１８８】
また、本発明は、ドナーから採取された血液（全血）を採血バッグに採取する採血装置に適用することもできる。
【０１８９】
また、本発明では、光学式センサは、図示のものに限定されず、例えば、ラインセンサ等であってもよい。
【０１９０】
また、本発明では、血液分離器は、遠心型のものに限定されず、例えば、膜型等のものであってもよい。
【図面の簡単な説明】
【０１９１】
【図１】本発明の採血装置を、主に血漿を採取する血液成分採取装置に適用した場合の第１実施形態を示す平面図（一部にブロック図を含む）である。
【図２】図１に示す血液成分採取装置の制御回路を示すブロック図である。
【図３】図１に示す血液成分採取装置の腕帯を示す平面図および斜視図である。
【図４】図１に示す血液成分採取装置の作用を説明するためのフローチャートである。
【図５】本発明の採血装置を、主に血漿を採取する血液成分採取装置に適用した場合の第２実施形態における制御回路を示すブロック図である。
【図６】図５に示す血液成分採取装置の作用を説明するためのフローチャートである。
【図７】本発明の採血装置を、主に血漿を採取する血液成分採取装置に適用した場合の第３実施形態における作用を説明するためのフローチャートである。
【符号の説明】
【０１９２】
１              血液成分採取装置
２              血液成分採取回路
１０            遠心分離器駆動装置
１１            血液ポンプ
１２            抗凝固剤ポンプ
１４            濁度センサ
１５            光学式センサ
１６            重量センサ
１７            第１の気泡センサ
１８            圧力センサ
１９            タッチパネル
２０            遠心分離器
２１            採血・返血ライン
２１ａ          中空針側ライン
２１ｂ          遠心分離器側ライン
２１ｃ          分岐コネクタ
２１ｄ          チャンバー
２１ｇ          ポンプチューブ
２１ｈ          チューブ
２１ｉ          フィルター
２２            採取バッグ側ライン
２３            抗凝固剤注入ライン
２３ａ          ポンプチューブ
２３ｃ          気泡除去用チャンバー
２３ｄ          抗凝固剤溶器接続用針
２４            エアーバッグ側ライン
２５            血漿採取バッグ
２６            エアーバッグ
２９１          中空針
２９２          翼
３２            サブバッグ
３２ａ          チューブ
３４            第２の気泡センサ
３５            第３の気泡センサ
３６            第４の気泡センサ
３７            第５の気泡センサ
５０            ドナー用タッチパネル
５１、５２      流路開閉手段
５３            ブザー
５４            ランプ
５５            制御手段
５６            コンプレッサー
５７            リーク弁
５８            圧力計
５９            バイブレータ
６１            分岐コネクタ
６２            チューブ
６３            フィルター
６４            除菌フィルター
７              腕帯
７１            袋体
７２            カバー
７３            チューブ
１４２          ローター
１４３          流入口
１４４          流出口
１４５          ステーター
１４６          貯血空間
Ｓ１０１〜Ｓ１１８  ステップ
Ｓ２０１〜Ｓ２１５  ステップ
Ｓ３０１〜Ｓ３１９  ステップ
【図１】
2008125553.tif 000003
【図２】
2008125553.tif 000004
【図３】
2008125553.tif 000005
【図４】
2008125553.tif 000006
【図５】
2008125553.tif 000007
【図６】
2008125553.tif 000008
【図７】
2008125553.tif 000009